(57)【特許請求の範囲】
【請求項１】
給湯源から供給される給湯と給水源から供給される給水を混合した湯水を吐止水する湯水混合水栓であって、
上記給湯源から流れる給湯の流路を形成する給湯管及び上記給水源から流れる給水の流路を形成する給水管の各々に固定された継手本体と、
この継手本体に固定される水栓本体と、を有し、
上記継手本体は、上記給湯管と上記給水管の各々から上記水栓本体に向かって給湯と給水の各々が独立に流れる継手給湯路と継手給水路をそれぞれ形成する給湯給水路構造部を備え、この給湯給水路構造部は、上記継手給湯路と上記継手給水路が互いに並列に延びる並列給湯給水路構造部と、この並列給湯給水路構造部の継手給湯路と継手給水路の各々から上記水栓本体側に延びて両流路のうちの一方がこれらの同心軸を中心として内側に配置され他方が外側に配置された第１の二重管路を形成する継手側二重管路構造部を含み、
上記水栓本体は、上記継手側二重管路構造部の第１の二重管路に連結可能な第２の二重管路を形成する水栓側二重管路構造部を含み、この水栓側二重管路構造部の第２の二重管路は、上記継手側二重管路構造部の第１の二重管路に連結された状態で上記継手本体の継手給湯路と継手給水路の各々と対応して連通する水栓給湯路と水栓給水路を形成し、上記水栓本体は、上記水栓側二重管路構造部の水栓給湯路と水栓給水路の入口部の各々が上記継手側二重管路構造部の継手給湯路と継手給水路の出口部の各々に液密に連結された状態を維持しながら上記同心軸を中心とする相対回転を許容する連結機構によって上記継手本体に連結され、
上記継手本体は、上記給湯管及び上記給水管に連結された上記並列給湯給水路構造部を含む第１継手部材と、上記継手側二重管路構造部を含み且つ上記第１継手部材に連結される第２継手部材と、を備えた少なくとも二部材によって構成され、上記水栓側二重管路構造部は、上記水栓本体と一体的に形成されていることを特徴とする湯水混合水栓。
【請求項２】
上記連結機構は、上記水栓側二重管路構造部の水栓給湯路と水栓給水路の入口部と、これら入口部の各々と大きさが異なる上記継手側二重管路構造部の継手給湯路と継手給水路の出口部と、上記水栓側二重管路構造部が上記継手側二重管構造に連結された状態で上記水栓給湯路と水栓給水路の入口部の各々の全周が、これら入口部の各々と対応する上記継手給湯路と継手給水路の出口部の全周との間に軸方向に沿って隙間を形成しながら所定長さ重なる重なり部分と、この重なり部分の隙間に設けられ、上記水栓給湯路と上記水栓給水路の入口部の各々を上記継手給湯路と上記継手給水路の出口部の各々に液密に連結させた状態を維持しながら上記同心軸を中心とする相対回転を許容すると共に上記同心軸に対して垂直な面に対する相対角度変化を許容するように構成されている弾性シール部材と、を含む請求項１記載の湯水混合水栓。
【請求項３】
上記継手側二重管路構造部の第１の二重管路は、上記同心軸を中心としてその内側と外側に継手給湯路と継手給水路をそれぞれ形成し、上記水栓側二重管路構造部の第２の二重管路は、その内側と外側に水栓給湯路と水栓給水路をそれぞれ形成する請求項１記載の湯水混合水栓。
【請求項４】
上記継手本体の第１継手部材は、その継手給湯路と継手給水路と上記第２継手部材の継手給湯路と継手給水路とを接続する第３継手部材を備え、この第３継手部材は、この継手給湯路と継手給水路の一端部が上記第１継手部材の継手給湯路と継手給水路に第１シール部材を介して接続され、他端部が上記第２継手部材の継手給湯路と継手給水路に第２シール部材を介して接続され、上記第３継手部材の少なくとも一方の端部が上記第１継手部材又は上記第２継手部材に対して摺動可能であり、且つ上記第１継手部材に対する上記第２継手部材の相対位置を調節可能に構成されていると共に、上記第１継手部材と上記第２継手部材との相対位置を調整した位置で上記第１継手部材と上記第２継手部材が固定手段によって固定されるように構成されている請求項１記載の湯水混合水栓。
【請求項５】
上記第２継手部材は、その継手給湯路と継手給水路の各々に配置された逆止弁を備えている請求項４記載の湯水混合水栓。
【請求項６】
上記継手本体は、上記継手側二重管路構造部と上記水栓側二重管路構造部が連結された状態で、上記水栓本体の長手方向位置とその長手方向に垂直な幅方向位置を規制すると共に、上記水栓側二重管路構造部を上記同心軸を中心に相対回転可能にして且つ上記同心軸に対する垂直な面に対して相対角度変化可能にする位置規制部材を備えている請求項１記載の湯水混合水栓。
【請求項７】
上記水栓本体は、その後端内周部が上記水栓側二重管路構造部の外側を取り囲むように後方に延び且つ上記水栓側二重管路構造部が上記継手側二重管路構造部に連結された際に上記位置規制部材を収納するように形成された収納部を備え、この収納部は、上記位置規制部材が収納された状態では、その内周面に上記位置規制部材が近接して配置され、上記水栓本体の長手方向位置とその長手方向に垂直な幅方向位置を規制すると共に、上記水栓側二重管路構造部を上記同心軸を中心に相対回転可能にして且つ上記同心軸に対する垂直な面に対して相対角度変化可能にするように構成されている請求項６記載の湯水混合水栓。
【請求項８】
上記位置規制部材は、上記同心軸を中心に外周方向へ延びて上記収納部内の形状とほぼ同じ矩形状に形成された平板部材として構成され、この平板部材は上記同心軸を中心に上下方向及び左右方向に対称であり、上記位置規制部材が上記収納部に収納された状態では、上記収納部の内周面に近接し、上記平板部材の角部は面取りされ、その外周面と上記収納部の内周面との間に隙間が形成されて上記収納部が上記同心軸を中心に回転可能となるように構成されている請求項７記載の湯水混合水栓。
【請求項９】
上記位置規制部材は、その外周面が前端部から後端部に向かって上記収納部の内周面の長さよりも長くなるように丸みを帯びた曲面部を備えている請求項８記載の湯水混合水栓。
【請求項１０】
上記位置規制部材は、その外周面の一部に凹部が形成され、この凹部における上記収納部の内周面と対向する面を上記継手本体側が上記水栓本体側に対して内側となるように傾斜させた傾斜面部を備え、上記収納部における上記凹部と対向する位置に形成された取付孔に第２締結部材を取り付けて上記傾斜面部に当接させることにより、上記水栓本体が上記継手本体に固定されるように構成されている請求項９記載の湯水混合水栓。
【請求項１１】
上記第２締結部材は、上記位置規制部材の中心を挟んで一対形成された上記凹部とこの凹部と対向する取付孔に取り付けられている請求項１０記載の湯水混合水栓。
【発明の詳細な説明】
【技術分野】
【０００１】
本発明は、湯水混合水栓に係り、特に、給湯源から供給される給湯と給水源から供給される給水を混合した湯水を吐止水する湯水混合水栓に関する。
に関する。
【背景技術】
【０００２】
従来から、湯水混合水栓は、開閉弁を備えた水栓本体に給湯源と給水源の各々から給湯と給水が供給されて混合された湯水を開閉弁の開閉により吐止水するようになっている。このような従来の湯水混合水栓は、浴室やキッチン等の壁面に設置されるようになっており、湯水を吐止水する開閉弁を含む水栓本体全体は壁面よりも前方に配置されるように構成されている。また、給湯源と給水源の各々から給湯と給水をそれぞれ供給する給湯管と給水管が壁面の裏側に埋設されているため、水栓本体と給湯管及び給水管との間には、これらを接続する水栓継手が介在して壁面に設置されるようになっており、給湯管と給水管の軸間距離の誤差等が水栓継手によって吸収されるようになっている（例えば、特許文献１参照）。
また、従来の湯水混合水栓には、上部にシャワー吐水部を備え、縦方向に棒状に延びる長物の本体（通水路）を形成するシャワー装置の下部に組み込まれたものも知られている（例えば、特許文献２参照）。この湯水混合水栓では、水栓本体と壁裏側に埋設された給湯管と給水管の各々との間には水栓継手として機能する取付脚がそれぞれ接続され、各取付脚の取付位置や角度等を調整することにより、給湯管と給水管の軸間距離の誤差等を吸収したり、湯水混合水栓とシャワー装置全体の取付角度を調整したりすることができるようになっている。
【０００３】
【特許文献１】特開２０００−２３４３６４号公報
【特許文献２】特開２００３−２９９５８９号公報
【発明の開示】
【発明が解決しようとする課題】
【０００４】
しかしながら、上述した従来の湯水混合水栓はいずれも、水栓継手とのシール不良等を生じさせないように正確な取付角度で設置するには、給湯管と給水管に取り付けられる水栓継手について高い取付精度が要求されるため、この取付精度の向上を配慮することにより水栓継手やその周囲の構造が複雑になるという問題がある。
さらに、上述したような、上部にシャワー吐水部を備え、棒状に延びる長物の本体（通水路）を形成するシャワー装置の下部に組み込まれている湯水混合水栓においては、壁裏側に埋設された給湯管と給水管の各々に接続される水栓継手の取付角度の誤差がわずかであっても、湯水混合水栓を水栓継手に取り付けた際に、シャワー装置本体が長物であるため、その最上部が壁面に対して前後又は左右に大きく傾いた状態となり、簡易な構成の湯水混合水栓や水栓継手による調整では難しいという問題がある。
【０００５】
そこで、本発明は、上述した従来技術の問題を解決するためになされたものであり、給湯管と給水管に取り付けられる水栓継手の取付精度を高めることなく、簡易な構成によって水栓本体の取付角度を調整することができる湯水混合水栓を提供することを目的としている。
【課題を解決するための手段】
【０００６】
上記の目的を達成するために、本発明は、給湯源から供給される給湯と給水源から供給される給水を混合した湯水を吐止水する湯水混合水栓であって、上記給湯源から流れる給湯の流路を形成する給湯管及び上記給水源から流れる給水の流路を形成する給水管の各々に固定された継手本体と、この継手本体に固定される水栓本体と、を有し、上記継手本体は、上記給湯管と上記給水管の各々から上記水栓本体に向かって給湯と給水の各々が独立に流れる継手給湯路と継手給水路をそれぞれ形成する給湯給水路構造部を備え、この給湯給水路構造部は、上記継手給湯路と上記継手給水路が互いに並列に延びる並列給湯給水路構造部と、この並列給湯給水路構造部の継手給湯路と継手給水路の各々から上記水栓本体側に延びて両流路のうちの一方がこれらの同心軸を中心として内側に配置され他方が外側に配置された第１の二重管路を形成する継手側二重管路構造部を含み、上記水栓本体は、上記継手側二重管路構造部の第１の二重管路に連結可能な第２の二重管路を形成する水栓側二重管路構造部を含み、この水栓側二重管路構造部の第２の二重管路は、上記継手側二重管路構造部の第１の二重管路に連結された状態で上記継手本体の継手給湯路と継手給水路の各々と対応して連通する水栓給湯路と水栓給水路を形成し、上記水栓本体は、上記水栓側二重管路構造部の水栓給湯路と水栓給水路の入口部の各々が上記継手側二重管路構造部の継手給湯路と継手給水路の出口部の各々に液密に連結された状態を維持しながら上記同心軸を中心とする相対回転を許容する連結機構によって上記継手本体に連結され、上記継手本体は、上記給湯管及び上記給水管に連結された上記並列給湯給水路構造部を含む第１継手部材と、上記継手側二重管路構造部を含み且つ上記第１継手部材に連結される第２継手部材と、を備えた少なくとも二部材によって構成され、上記水栓側二重管路構造部は、上記水栓本体と一体的に形成されていることを特徴としている。
このように構成された本発明の湯水混合水栓においては、給湯管及び給水管に固定された継手本体に水栓本体を取り付ける際、水栓側二重管路構造部の水栓給湯路と水栓給水路の入口部の各々が継手側二重管路構造部の継手給湯路と継手給水路の出口部の各々に液密に連結された状態を維持しながら同心軸を中心とする相対回転を許容する連結機構によって水栓本体を継手本体に連結させることができるため、給湯管及び給水管とこれらにとりつけられている継手本体との間に生じている取付誤差について、水栓本体を継手本体に対して同心軸を中心に相対回転させて調整することによって誤差を吸収させることができ、継手本体に取り付けられる水栓本体の位置や姿勢を簡易な構成によって容易にかつ最適に設定することができる。
また、このように構成された本発明の湯水混合水栓においては、継手本体の継手側二重管路構造部を含む第２継手部材が第１継手部材とは別部材であるため、第２継手部材に継手側二重管路構造部を形成する際に加工が容易となる。また、水栓側二重管路構造部が水栓本体と一体的に形成されているため、水栓本体を継手本体に取り付けた際、水栓側二重管路構造部が継手側二重管路構造部に対して同心軸を中心とする相対回転を許容する共に同心軸に対して垂直な面に対する相対角度変化を許容しながら液密に連結させた状態を維持して水栓本体をしっかりと支えることができる。
【０００７】
本発明において、連結機構は、水栓側二重管路構造部の水栓給湯路と水栓給水路の入口部と、これら入口部の各々と大きさが異なる継手側二重管路構造部の継手給湯路と継手給水路の出口部と、水栓側二重管路構造部が継手側二重管路構造部に連結された状態で水栓給湯路と水栓給水路の入口部の各々の全周が、これら入口部の各々と対応する継手給湯路と継手給水路の出口部の全周との間に軸方向に沿って隙間を形成しながら所定長さ重なる重なり部分と、この重なり部分の隙間に設けられ、水栓給湯路と水栓給水路の入口部の各々を継手給湯路と継手給水路の出口部の各々に液密に連結させた状態を維持しながら同心軸を中心とする相対回転を許容すると共に同心軸に対して垂直な面に対する相対角度変化を許容する弾性シール部材と、を含むことが好ましい。
このように構成された本発明の湯水混合水栓においては、連結機構の継手給湯路及び継手給水路の出口部と水栓給湯路及び水栓給水路の入口部とが重なる重なり部分の隙間に設けられた弾性シール部材が、水栓給湯路と水栓給水路の入口部の各々を継手給湯路と継手給水路の出口部の各々に液密に連結させた状態を維持しながら同心軸を中心とする相対回転を許容する共に同心軸に対して垂直な面に対する相対角度変化を許容するため、水栓本体を継手本体に取り付ける際、給湯管及び給水管とこれらに取り付けられている継手本体との間に生じている取付誤差を吸収することができ、継手本体に取り付けられる水栓本体の位置や姿勢を簡易な構成によって容易にかつ最適に設定することができる。
【０００８】
継手側二重管路構造部の第１の二重管路は、同心軸を中心としてその内側と外側に継手給湯路と継手給水路をそれぞれ形成し、水栓側二重管路構造部の第２の二重管路は、その内側と外側に水栓給湯路と水栓給水路をそれぞれ形成することが好ましい。
このように構成された本発明の湯水混合水栓においては、両二重管路の給水路が給湯路よりも外側に配置されているため、両二重管路構造部の温度上昇を抑制することができ、安全性を向上させることができる。
【００１０】
第１継手部材は、その継手給湯路と継手給水路と第２継手部材の継手給湯路と継手給水路とを接続する第３継手部材を備え、この第３継手部材は、この継手給湯路と継手給水路の一端部が第１継手部材の継手給湯路と継手給水路に第１シール部材を介して接続され、他端部が第２継手部材の継手給湯路と継手給水路に第２シール部材を介して接続され、第３継手部材の少なくとも一方の端部が第１継手部材又は第２継手部材に対して摺動可能であり、且つ第１継手部材に対する第２継手部材の相対位置を調節可能に構成されていると共に、第１継手部材と第２継手部材との相対位置を調整した位置で第１継手部材と第２継手部材が固定手段によって固定されるように構成されていることが好ましい。
このように構成された本発明の湯水混合水栓においては、第１継手部材と第２継手部材との間に第３継手部材を設けたことにより、簡易な構造で継手本体の第１継手部材に対する第２継手部材の位置を容易に調整することができ、この継手本体の第２継手部材に取り付けられる水栓本体の位置や姿勢を容易にかつ最適に設定することができる。
【００１１】
第２継手部材は、その継手給湯路と継手給水路の各々に配置された逆止弁を備えていることが好ましい。
このように構成された本発明の湯水混合水栓においては、逆止弁やこれを含む継手本体の第２継手部材に関するメンテナンスが容易となる。
【００１２】
継手本体は、継手側二重管路構造部と水栓側二重管路構造部が連結された状態で、水栓本体の長手方向位置とその長手方向に垂直な幅方向位置を規制すると共に、水栓側二重管路構造部を同心軸を中心に相対回転可能にして且つ同心軸に対する垂直な面に対して相対角度変化可能にする位置規制部材を備えていることが好ましい。
このように構成された本発明の湯水混合水栓においては、継手本体に取り付けられる水栓本体の取付精度を向上させることができる。また、取り付け時の水栓本体による継手本体に対する過度な位置調整を防ぐと共にこれらによる水栓側二重管路構造部と継手側二重管路構造部における弾性シール部材の損傷やシール不良を防ぐことができる。
【００１３】
水栓本体は、その後端内周部が水栓側二重管路構造部の外側を取り囲むように後方に延び且つ水栓側二重管路構造部が継手側二重管路構造部に連結された際に位置規制部材を収納するように形成された収納部を備え、この収納部は、位置規制部材が収納された状態では、その内周面に位置規制部材が近接して配置され、水栓本体の長手方向位置とその長手方向に垂直な幅方向位置を規制すると共に、水栓側二重管路構造部を同心軸を中心に相対回転可能にして且つ同心軸に対する垂直な面に対して相対角度変化可能にするように構成されていることが好ましい。
このように構成された本発明の湯水混合水栓においては、水栓本体を継手本体に取り付けた状態では、継手本体の位置規制部材が水栓本体の収納部に収納されるため、水栓本体の長手方向位置とその長手方向に垂直な幅方向位置を規制することができる。また、収納部に位置規制部材を隠すことができ、継手側二重管路構造部と水栓側二重管路構造部を連結した状態の連結部の外観をよくすることができる。
【００１４】
位置規制部材は、同心軸を中心に外周方向へ延びて収納部内の形状とほぼ同じ矩形状に形成された平板部材として構成され、この平板部材は同心軸を中心に上下方向及び左右方向に対称であり、位置規制部材が収納部に収納された状態では、収納部の内周面に近接し、平板部材の角部は面取りされ、その外周面と収納部の内周面との間に隙間が形成されて収納部が同心軸を中心に回転可能となるように構成されていることが好ましい。
このように構成された本発明の湯水混合水栓においては、位置規制部材の平板部材の角部が面取りされ、その外周面と収納部の内周面との間に隙間が形成されているため、水栓本体を継手本体に取り付けた状態では、水栓本体の収納部が同心軸を中心に回転可能となるため、継手本体に取り付けられる水栓本体の位置や姿勢を容易にかつ最適に設定することができる。
【００１５】
位置規制部材は、その外周面が前端部から後端部に向かって収納部の内周面の長さよりも長くなるように丸みを帯びた曲面部を備えていることが好ましい。
このように構成された本発明の湯水混合水栓においては、位置規制部材の外周面が前端部から後端部に向かって水栓本体の収納部の内周面の長さよりも長くなるように丸みを帯びた曲面部を備えているため、位置規制部材に対する収納部の相対角度変化を許容することができる。また、位置規制部材が収納部に収納された状態では、位置規制部材と収納部との前後方向の距離を短く設定することができ、位置規制部材の外周面と収納部の内周面との間に形成されている隙間に比べ、位置規制部材の外部から見える見かけ上の隙間を小さく見せることができる。
【００１６】
位置規制部材は、その外周面の一部に凹部が形成され、この凹部における収納部の内周面と対向する面を継手本体側が水栓本体側に対して内側となるように傾斜させた傾斜面部を備え、収納部における凹部と対向する位置に形成された取付孔に第２締結部材を取り付けて傾斜面部に当接させることにより、水栓本体が継手本体に固定されるように構成されていることが好ましい。
このように構成された本発明の湯水混合水栓においては、水栓本体を継手本体に取り付けた際、簡単に外れないようにしっかりと固定することができる。
【００１７】
第２締結部材は、位置規制部材の中心を挟んで一対形成された凹部とこの凹部と対向する取付孔に取り付けられていることが好ましい。
このように構成された本発明の湯水混合水栓においては、水栓本体が継手本体に相対回転と相対角度変化を許容されながら取り付けられた後、第２締結部材が継手本体と水栓本体を確実に締結することができる。
【発明の効果】
【００１８】
本発明の湯水混合水栓によれば、給湯管と給水管に取り付けられる水栓継手の取付精度を高めることなく、簡易な構成によって水栓本体の取付角度を調整することができる。
【発明を実施するための最良の形態】
【００１９】
以下、添付図面を参照して本発明の湯水混合水栓の実施形態について説明する。
図１は、本発明の第１実施形態の湯水混合水栓が組み込まれたシャワー装置を示す概略斜視図である。
図１に示すように、本実施形態の湯水混合水栓１は、シャワー装置（シャワーバー）２の縦方向に棒状に延びるシャワー装置本体４の下部に一体的に組み込まれている。また、シャワー装置本体４は、湯水混合水栓１が組み込まれている下部と上部固定部６の二箇所によって壁８の表側壁面８ａに固定されている。
シャワー装置本体４は、その上部から前方へ延びた位置に設けられたヘッドシャワー吐水部１０を備えている。さらに、シャワー装置本体４内の通水路（図示せず）から上部固定部６へ分岐した流路にはシャワーホース１２が接続され、このシャワーホース１２の先端部は、シャワー装置本体４の一部に取り付けられるハンドシャワー吐水部１４となっている。
湯水混合水栓１の水栓本体１６には、その内部に設けられた開閉弁（図示せず）を開閉操作する開閉弁操作ハンドル１８が設けられている。水栓本体１６内で混合されて流量と温度が調整された湯水は、開閉弁操作ハンドル１８の操作により開閉弁（図示せず）が開閉してヘッドシャワー吐水部１０又はハンドシャワー吐水部１４で吐止水されるようになっている。また、シャワー装置本体４は、開閉弁操作ハンドル１８の上方にシャワー切替操作ハンドル２０を備え、このシャワー切替操作ハンドル２０を操作することにより、ヘッドシャワー吐水部１０又はハンドシャワー吐水部１４による吐水の切替が可能となっている。
【００２０】
図２は、本実施形態の湯水混合水栓の部分を斜め後方から見た部分拡大斜視図である。また、図３は、図２に示す本実施形態の湯水混合水栓の部分側面断面図である。さらに、図４は図３のIV−IV断面図であり、図５は図３のＶ−Ｖ断面図である。
図２及び図３に示すように、シャワー装置本体４が固定されている壁８の裏側壁面８ｂの後方には、給湯源（図示せず）から流れる給湯の流路を形成する給湯管２２と給水源（図示せず）から流れる給水の流路を形成する給水管２４が埋設されており、これら給湯管２２及び給水管２４に継手本体２６が固定されている。
【００２１】
また、継手本体２６は、給湯管２２に連結される給湯管連結部２８と給水管２４に連結される給水管連結部３０を含む後部継手部材２６ａと、シャワー装置本体４の下部に組み込まれた水栓本体１６が連結される水栓本体連結部３２を含む前部継手部材２６ｂと、後部継手部材２６ａと前部継手部材２６ｂとの間に介在し且つ前部継手部材２６ｂの後部継手部材２６ａに対する前後方向の相対距離を調節する中間継手部材２６ｃの３つの継手部材２６ａ，２６ｂ，２６ｃによって構成されている。さらに、各継手部材２６ａ，２６ｂ，２６ｃの内部には、給湯管連結部２８と給水管連結部３０の各々から水栓本体連結部３２に向かって給湯と給水の各々が独立に流れる継手給湯路３４と継手給水路３６をそれぞれ形成する給湯給水路構造部３８を備えている。
【００２２】
給湯給水路構造部３８は、並列給湯給水路構造部４０と二重管路構造部４２を備えている。並列給湯給水路構造部４０では、給湯管連結部２８と給水管連結部３０の各々から、継手給湯路３４と継手給水路３６が互いに並列して前後方向にほぼ平行に延びている（図３及び図４参照）。一方、二重管路構造部４２では、並列給湯給水路構造部４０の継手給湯路３４と継手給水路３６の各々から水栓本体連結部３２に延びると共に継手給湯路３４から延びた流路が同心軸４４を中心として内側に配置され、継手給水路３６から延びた流路がその外側に配置された二重管路３４ａ，３６ａを水栓本体連結部３２に形成している（図３及び図５参照）。
【００２３】
また、水栓本体１６は、シャワー装置本体４の下部に配置されて後方に突出して形成されており、その後端部が継手本体２６の水栓本体連結部３２と連結する継手本体連結部４６を備えている。水栓本体１６の継手本体連結部４６は、継手本体２６の二重管路構造部４２の二重管路３４ａ，３６ａの各々に連結可能な二重管路４８ａ，５０ａを一体的に形成する水栓本体１６の二重管路構造部５２を含む。この水栓本体１６の二重管路構造部５２の二重管路４８ａ，５０ａは、継手本体２６の二重管路構造部４２の二重管路３４ａ，３６ａに連結された状態で継手本体１２の継手給湯路３４と継手給水路３６の各々と対応して連通し且つ水栓本体１６の開閉弁５４まで連通させる水栓給湯路４８と水栓給水路５０を形成している。水栓本体１６は、二重管路構造部５２の二重管路４８ａ，５０ａの入口部の各々が継手本体２６の二重管路構造部４２の二重管路３４ａ，３６ａの出口部の各々に液密に連結された状態を維持しながら二重管路３４ａ，３６ａの同心軸４４を中心とする相対回転を許容する連結機構によって継手本体２６に連結されている。
【００２４】
さらに、上述した水栓本体１６の二重管路構造部５２と継手本体２６の二重管路構造部４２の連結機構について具体的に説明する。
図３及び図５に示すように、水栓本体１６の二重管路構造部５２と継手本体２６の二重管路構造部４２の連結機構は、水栓本体１６の二重管路構造部５２の二重管路４８ａ，５０ａの入口部と、これら入口部の各々と大きさが異なる継手本体２６の二重管路構造部４２の二重管路３４ａ，３６ａの出口部と、水栓本体１６の二重管路構造部５２が継手本体２６の二重管路構造部４２に連結された状態で二重管路４８ａ，５０ａの入口部の各々の全周とこれら入口部の各々と対応する二重管路３４ａ，３６ａの出口部の全周とが重なる重なり部分５６によって構成されている。
また、重なり部分５６においては、水栓本体１６の二重管路４８ａ，５０ａの入口部の全周と継手本体２６の二重管路３４ａ，３６ａの出口部の全周との間に軸方向に沿って隙間が形成されており、これらの隙間にはＯリング５８，６０がそれぞれ設けられている。これらのＯリング５８，６０は、二重管路４８ａ，５０ａの入口部の各々を二重管路３４ａ，３６ａの出口部の各々に液密に連結させた状態を維持しながら二重管路３４ａ，３６ａの同心軸４４を中心とする相対回転を許容すると共にと同心軸４４に対して垂直な面に対する相対角度変化を許容するように構成されている。
【００２５】
また、継手本体２６の中間継手部材２６ｃは、各々の後端部が後部継手部材２６ａの継手給湯路３４と継手給水路３６内にＯリング６２を介して接続され、各々の前端部が前部継手部材２６ｂの継手給湯路３４と継手給水路３６に挿入されてＯリング６４を介して接続されている。また、前部継手部材２６ｂの継手給湯路３４と継手給水路３６内の各々における中間継手部材２６ｃとの接続部の近傍には逆止弁６６が設けられている。
さらに、中間継手部材２６ｃの後端部又は前端部の少なくとも一方の端部は、後部継手部材２６ａ又は前部継手部材２６ｂに対して摺動可能であり、給湯管２２と給水管２４に固定されている後部継手部材２６ａに対する前部継手部材２６ｂの前後方向の相対位置を調節可能に構成されている。
また、後部継手部材２６ａと前部継手部材２６ｂは、中間継手部材２６ｃによって前後方向の相対位置が定められると、両部材２６ａ，２６ｂの上下部を軸方向に締結する一対の締結ボルト６８によって固定されるようになっている。
【００２６】
さらに、図３及び図４に示すように、継手本体２６の水栓本体連結部３２は、水栓本体１６の継手本体連結部４６が連結された状態で、水栓本体１６の長手方向（高さ方向）の位置とその長手方向に垂直な幅方向位置を規制すると共に、継手本体連結部４６を二重管路３４ａ，３６ａの同心軸４４を中心に相対回転可能にして且つ同心軸４４に対する垂直な面に対して相対角度変化可能にする位置規制部材７０を備えている。
また、水栓本体１６の継手本体連結部４６は、その後端内周部が水栓本体１６の二重管路構造部５２の外側を取り囲むように後方に延び且つ継手本体連結部４６が水栓本体連結部３２に連結された際に位置規制部材７０を収納するように形成された収納部７２を備え、この収納部７２は、位置規制部材７０が収納された状態では、収納部７２の内周面に位置規制部材７０が近接して配置され、水栓本体１６の長手方向（高さ方向）の位置とその長手方向に垂直な幅方向位置を規制すると共に、継手本体連結部４６を二重管路３４ａ，３６ａの同心軸４４を中心に相対回転可能にして且つ同心軸４４に対する垂直な面に対して相対角度変化可能にするように構成されている。
【００２７】
位置規制部材７０の具体的な構成としては、二重管路３４ａ，３６ａの同心軸４４を中心に外周方向へ延びて収納部７２内の形状とほぼ同じ矩形状に形成された平板部材として構成されている。また、位置規制部材７０は、二重管路３４ａ，３６ａの同心軸４４を中心に上下方向及び左右方向に対称であり、位置規制部材７０が収納部７２に収納された状態では、収納部７２の内周面に近接し、位置規制部材７０の角部７１は面取りされ、その外周面と収納部７２の内周面との間に隙間７３が形成されて収納部７２が二重管路３４ａ，３６ａの同心軸４４を中心に回転可能となるように構成されている。
【００２８】
さらに、位置規制部材７０の上側外周部は、位置規制部材７０の前端部から後端部に向かって収納部７２の内周面の前後方向の長さよりも長くなるように丸みを帯びた曲面部７４を備えている。
また、位置規制部材７０の下側外周部には凹部７６が形成され、この凹部７６は、収納部７２の下側内周面と対向する面を継手本体２６が水栓本体１６に対して内側となるように傾斜させた傾斜面部７８を備えている。収納部７２における凹部７６と対向する位置に形成された取付孔８０に固定ねじ８２を取り付けて傾斜面部７２に当接させることにより、水栓本体１６の継手本体連結部４６が前部継手部材２６ｂの水栓本体連結部３２に固定されるように構成されている。ここで、固定ねじ８２は、位置規制部材７０の中心を挟んで一対形成された凹部７６とこの凹部７６と対向する取付孔８０に取り付けられている。
【００２９】
つぎに、上述した本発明の第１実施形態による湯水混合水栓１の作用について説明する。
まず、給湯管２２及び給水管２４に固定された継手本体２６に水栓本体１６を取り付ける際、水栓本体１６の二重管路構造部５２の二重管路４８ａ，５０ａの入口部の各々が継手本体２６の二重管路構造部４２の二重管路３４ａ，３６ａの出口部の各々に液密に連結された状態を維持しながら二重管路３４ａ，３６ａの同心軸４４を中心とする相対回転を許容する連結機構によって、水栓本体１６が継手本体２６に連結される。したがって、給湯管２２及び給水管２４とこれらに取り付けられている継手本体２６との間に生じている取付誤差について、水栓本体１６を継手本体２６に対して単に二重管路３４ａ，３６ａの同心軸４４を中心に相対回転させて調整することによって誤差を吸収させることができる。また、給湯管２２及び給水管２４に固定される継手本体２６の取付精度を高めることなく、継手本体２６に取り付けられる水栓本体１６の位置や姿勢を簡易な構成によって容易にかつ最適に設定することができる。さらに、水栓本体１６を組み込んだシャワー装置本体４を壁８の表側壁面８ａに取り付ける際、水栓本体１６の位置や姿勢を調整することによってシャワー装置本体４の位置や姿勢を容易にかつ最適に設定することができる。
【００３０】
また、本実施形態による湯水混合水栓１によれば、継手本体２６の二重管路３４ａ，３６ａの出口部と水栓本体１６の二重管路４８ａ，５０ａの入口部とが重なる重なり部分５６の隙間に設けられたＯリング５８，６０が、互いの二重管路３４ａ，３６ａ，４８ａ，５０ａを液密に連結させた状態を維持しながら二重管路３４ａ，３６ａの同心軸４４を中心とする相対回転を許容する共に同心軸４４に対して垂直な面に対する相対角度変化を許容するため、水栓本体１６を継手本体２６に取り付ける際、給湯管２２及び給水管２４とこれらに取り付けられている継手本体２６との間に生じている取付誤差を吸収させることができる。したがって、給湯管２２及び給水管２４に固定される継手本体２６の取付精度を高めることなく、継手本体２６に取り付けられる水栓本体１６の位置や姿勢を簡易な構成によって容易にかつ最適に設定することができる。さらに、水栓本体１６を組み込んだシャワー装置本体４を壁８の表側壁面８ａに取り付ける際、水栓本体１６の位置や姿勢を調整することによってシャワー装置本体４の位置や姿勢を容易にかつ最適に設定することができる。
【００３１】
さらに、本実施形態による湯水混合水栓１によれば、両二重管路３４ａ，３６ａ，４８ａ，５０ａの給水路３６ａ，５０ａが給湯路３４ａ，４８ａよりも外側に配置されているため、両二重管路構造部４２，５２の温度上昇を抑制することができ、安全性を向上させることができる。
【００３２】
また、本実施形態による湯水混合水栓１によれば、継手本体２６の水栓本体連結部３２を含む前部継手部材２６ｂが後部継手部材２６ａとは別部材であるため、前部継手部材２６ｂの水栓本体連結部３２に二重管路構造部４２の二重管路３４ａ，３６ａを形成する際に加工が容易となる。また、水栓本体１６の継手本体連結部４６における二重管路構造部５２の二重管路４８ａ，５０ａが水栓本体１６と一体的に形成されているため、水栓本体１６を継手本体２６に取り付けた際、水栓本体１６の継手本体連結部４６の二重管路構造部５２が継手本体２６の二重管路構造部４２に対して二重管路３４ａ，３６ａの同心軸４４を中心とする相対回転を許容する共に、同心軸４４に対して垂直な面に対する相対角度変化を許容しながら液密に連結させた状態を維持して水栓本体１６をしっかりと支えることができる。
【００３３】
また、本実施形態による湯水混合水栓１によれば、継手本体２６の後部継手部材２６ａと前部継手部材２６ｂとの間に中間継手部材２６ｃを設けたことにより、簡易な構成によて後部継手部材２６ａに対する前部継手部材２６ｂの位置を容易に調整することができ、この前部継手部材２６ｂに取り付けられる水栓本体１６やシャワー装置本体４の前後方向の相対位置や姿勢を容易にかつ最適に設定することができる。
【００３４】
さらに、本実施形態による湯水混合水栓１によれば、前部継手部材２６ｂの継手給湯路３４と継手給水路３６内の各々における中間継手部材２６ｃとの接続部の近傍には逆止弁６６が設けられているため、前部継手部材２６ｂのみを取り外すことにより、逆止弁６６やこれを含む前部継手部材２６ｂに関するメンテナンスが容易となる。
【００３５】
また、本実施形態による湯水混合水栓１によれば、継手本体２６の水栓本体連結部３２に設けられている位置規制部材７０が、水栓本体１６の継手本体連結部４６が連結された状態で、水栓本体１６の長手方向（高さ方向）の位置とその長手方向に垂直な幅方向位置を規制すると共に、継手本体連結部４６を二重管路３４ａ，３６ａの同心軸４４を中心に相対回転可能にして且つ同心軸４４に対する垂直な面に対して相対角度変化可能する。これにより、継手本体２６に取り付けられる水栓本体１６の取付精度を向上させることができる。また、取り付け時の水栓本体１６による継手本体に対する過度な位置調整を防ぐと共に、水栓本体１６の二重管路構造部５２と継手本体２６の二重管路構造部４２の重なり部分５６の隙間に設けられたＯリング５８，６０の損傷やシール不良を防ぐことができる。
【００３６】
さらに、本実施形態による湯水混合水栓１によれば、水栓本体１６の継手本体連結部４６の後端内周部が、水栓本体１６の二重管路構造部５２の外側を取り囲むように後方に延び且つ水栓本体１６の継手本体連結部４６が継手本体２６の水栓本体連結部３２に連結された際に位置規制部材７０を収納するように形成された収納部７２を備えている。また、この収納部７２は、位置規制部材７０が収納された状態では、その内周面に位置規制部材７０が近接して配置され、水栓本体１６の長手方向（高さ方向）の位置とその長手方向に垂直な幅方向位置を規制すると共に、水栓本体１６の継手本体連結部４６を二重管路３４ａ，３６ａの同心軸４４を中心に相対回転可能にして且つ同心軸４４に対する垂直な面に対して相対角度変化可能にする。これにより、水栓本体１６を継手本体２６に取り付けた状態では、継手本体２６の水栓本体連結部３２の位置規制部材７０が水栓本体１６の継手本体連結部４６の収納部７２に収納されるため、水栓本体１６の長手方向（高さ方向）の位置とその長手方向に垂直な幅方向位置を規制することができる。また、水栓本体１６を継手本体２６に取り付けた状態では、位置規制部材７０全体を収納部７２内に隠すことができるため、継手本体２６の水栓本体連結部３２が一切外観から見えず、壁８の表側壁面８ａに設置された湯水混合水栓１の外観をよくすることができる。
【００３７】
さらに、本実施形態による湯水混合水栓１によれば、継手本体２６の位置規制部材７０が二重管路３４ａ，３６ａの同心軸４４を中心に外周方向へ延びて収納部７２内の形状とほぼ同じ矩形状に形成された平板部材として構成されており、この平板部材が二重管路３４ａ，３６ａの同心軸４４を中心に上下方向及び左右方向に対称である。また、位置規制部材７０の角部７１は面取りされており、位置規制部材７０が収納部７２に収納された状態では、位置規制部材７０の外周面と収納部７２の内周面との間に隙間７３が形成され、収納部７２が二重管路３４ａ，３６ａの同心軸４４を中心に回転可能となるため、水栓本体１６を継手本体２６に取り付けた状態では、水栓本体１６の継手本体連結部４６の収納部７２が二重管路３４ａ，３６ａの同心軸４４を中心に回転可能となるため、継手本体２６に取り付けられる水栓本体１６の位置や姿勢を簡易な構成によって容易にかつ最適に設定することができる。また、水栓本体１６を組み込んだシャワー装置本体４の位置や姿勢を容易にかつ最適に設定することができる。
【００３８】
また、本実施形態による湯水混合水栓１によれば、継手本体２６の位置規制部材７０のが、その外周面の前端部から後端部に向かって収納部７２の内周面の長さよりも長くなるように丸みを帯びた曲面部７４を備えているため、継手本体２６の位置規制部材７０に対する水栓本体４６の収納部７２の相対角度変化を許容することができる。また、位置規制部材７０が収納部７２に収納された状態では、位置規制部材７０の曲面部７４によって、位置規制部材７０と収納部７２との前後方向の距離を短く設定することができる。さらに、位置規制部材７０の外周面と収納部７２の内周面との間に形成されている隙間７３に比べ、位置規制部材７０の外部から見える見かけ上の隙間を小さく見せることができる。
【００３９】
さらに、本実施形態による湯水混合水栓１によれば、継手本体２６の位置規制部材７０の下側外周面の一部に凹部７６が形成され、この凹部７６における収納部７２の内周面と対向する面を継手本体２６が水栓本体１６に対して内側となるように傾斜させた傾斜面部７２を備えている。また、収納部７２における凹部７６と対向する位置に形成された取付孔８０に固定ねじ８２を取り付けて傾斜面部７２に当接させることにより、水栓本体１６が継手本体２６に固定されるため、水栓本体１６を継手本体２６に取り付けた際、簡単に外れないようにしっかりと固定することができる。
【００４０】
また、本実施形態による湯水混合水栓１によれば、水栓本体１６を継手本体２６に取り付けた後、位置規制部材７０の中心を挟んで一対形成された凹部７６とこの凹部７６と対向する取付孔８０に固定ねじ８２が取り付けられるため、水栓本体１６の継手本体連結部４６を継手本体２６の水栓本体連結部３２に確実に締結することができる。
【００４１】
つぎに、本発明の第２実施形態による湯水混合水栓について説明する。
図６は、本実施形態の湯水混合水栓を示す概略斜視図である。図６に示すように、本実施形態の湯水混合水栓９０においては、シャワー装置９１を含む水栓本体９２が浴槽９４の上面９６の一部に設置されている。浴槽９４の外壁面９８と浴槽９４の内壁面１００との間は内部空間１０２が形成されている。
また、水栓本体９２が設置されているほぼ水平な浴槽上面９６の下側の内部空間１０２には、給湯源（図示せず）及び給水源（図示せず）に接続される給湯管１０４と給水管１０６がそれぞれ延びており、これら給湯管１０４と給水管１０６には、第１実施形態の湯水混合水栓１の継手本体２６と同様な構成である継手本体１０８が固定されている。すなわち、継手本体１０８は、水栓本体９２が設置されている浴槽上面９６の下側に埋設されて固定され、継手本体１０８の上部が水栓本体９２の下部と連結される構成となっている。
【００４２】
さらに、水栓本体９２の下部と継手本体１０８の上部との各々の連結部は、第１実施形態の湯水混合水栓１の水栓本体１６及び継手本体２６の各二重管構造部４２，５２と同様に、給湯路が内側に配置され給水路が外側に配置された二重管路（図示せず）を形成する二重管構造部（図示せず）をそれぞれ備えている。
また、水栓本体９２及び継手本体１０８の各々の二重管構造部１１０が連結された状態では、第１実施形態の二重管構造部４２，５２と同様に、水栓本体９２と継手本体１０８が液密に連結された状態を維持しながら水栓本体９２が継手本体１０８の二重管路１１０ａの同心軸１１２を中心として浴槽上面９６の平面内で相対回転を許容されるように構成されている。
なお、浴槽上面９６については、水平な平面としているが、浴槽上面９６が傾斜しているような場合には、水栓本体９２と継手本体１０８が液密に連結された状態を維持しながら、水栓本体９２が継手本体１０８の二重管路１１０ａの同心軸１１２に対して垂直な面に対する相対角度変化についても許容されるように構成されている。
【００４３】
上述した本発明の第２実施形態による湯水混合水栓９０によれば、第１実施形態の湯水混合水栓１と同様に、給湯管１０４及び給水管１０６に固定された継手本体１０８に水栓本体９２を取り付ける際、水栓本体９２と継手本体１０８が液密に連結された状態を維持しながら水栓本体９２が継手本体１０８の二重管路１１０ａの同心軸１１２を中心として浴槽上面９６の平面内で相対回転を許容される。したがって、給湯管１０４及び給水管１０６とこれらにとりつけられている継手本体１０８との間に生じている取付誤差について、水栓本体９２を継手本体１０８に対して単に二重管路１１０ａの同心軸１１２を中心に相対回転させて調整することによって誤差を吸収させることができ、給湯管１０４及び給水管１０６に固定される継手本体１０８の取付精度を高めることなく、水栓本体９２の向きや取付角度を簡易な構成によって容易にかつ最適に設定することができる。
【図面の簡単な説明】
【００４４】
【図１】本発明の第１実施形態の湯水混合水栓が組み込まれたシャワー装置を示す概略斜視図である。
【図２】本発明の第１実施形態の湯水混合水栓の部分を斜め後方から見た部分拡大斜視図である。
【図３】図２に示す本発明の第１実施形態による湯水混合水栓の部分側面断面図である。
【図４】図３のIV−IV断面図である。
【図５】図３のＶ−Ｖ断面図である。
【図６】本発明の第２実施形態の湯水混合水栓を示す概略斜視図である。
【符号の説明】
【００４５】
１，９０  湯水混合水栓
２  シャワー装置
４  シャワー装置本体
６  上部固定部
８  壁
１０  ヘッドシャワー吐水部
１２  シャワーホース
１４  ハンドシャワー吐水部
１６，９２  水栓本体
１８  開閉弁操作ハンドル
２０  シャワー切替操作ハンドル
２２  給湯管
２４  給水管
２６  継手本体
２６ａ  後部継手部材
２６ｂ  前部継手部材
２６ｃ  中間継手部材
２８  給湯管連結部
３０  給水管連結部
３２  水栓本体連結部
３４  継手給湯路
３４ａ，３６ａ，４８ａ，５０ａ  二重管路
３６  継手給水路
３８  給湯給水路構造部
４０  並列給湯給水路構造部
４２  継手本体の二重管路構造部
４４  同心軸
４６  継手本体連結部
４８  水栓給湯路
５０  水栓給水路
５２  水栓本体の二重管路構造部
５６  二重管路構造部の重なり部分
５８，６０，６２，６４  Ｏリング
６６  逆止弁
６８  締結ボルト
７０  位置規制部材
７１  角部
７２  収納部
７３  隙間
７４  曲面部
７６  凹部
７８  傾斜面部
８０  取付孔
８２  固定ねじ
９１  シャワー装置
９４  浴槽
９６  浴槽上面
９８  浴槽外壁面
１００  浴槽内壁面
１０２  内部空間
１０４  給湯管
１０６  給水管
１０８  継手本体
１１０  二重管構造部
１１２  同心軸
【図１】
0004419197.tif 000002
【図２】
0004419197.tif 000003
【図３】
0004419197.tif 000004
【図４】
0004419197.tif 000005
【図５】
0004419197.tif 000006
【図６】
0004419197.tif 000007